(57)【要約】【課題】外壁材等の板状の建材を表面を傷付けるおそれなく起立姿勢として確実に挟着できるようにし、該建材を吊り上げることで、施工作業を容易にするとともに安全性を向上させる。【解決手段】横長杆と該横長杆の基端側から垂下する支持杆とによって形成した一対の支腕１，１をＸ字状に交差するように支軸４により開閉可能に連結し、両支腕の下端に相対するように一対の挟着板２０，２０を枢着し、両支腕１，１の横長杆２の支軸４よりも先端側の位置に開放吊上用部材１５の両端部を係着し、開放吊上用部材１５を引き上げることにより挟着板２０，２０間が拡開し、建材３０が開放されるようにした。【選択図】図１
2015212184.tif 000002
【特許請求の範囲】
【請求項１】
横長杆と該横長杆の基端側から垂下する支持杆とによって形成される一対の支腕と、前記両支腕の横長杆がＸ字状に交差するように該両支腕を開閉可能に連結する支軸と、両端部を前記両支腕の横長杆の前記支軸よりも先端側の位置に係着した挟着吊上用部材と、前記両支腕の支持杆の下端に相対するように枢着した一対の挟着板と、両端部を前記両支腕の横長杆の前記支軸よりも基端側の位置に係着した開放吊上用部材とを具備し、
前記挟着吊上用部材を引き上げることにより前記挟着板間に板状の建材が挟着されて該建材が吊り上げられる一方、前記開放吊上用部材を引き上げることにより前記挟着板間が拡開し前記建材が解放されるようにしたことを特徴とする板状建材吊上用挟着装置。
【請求項２】
横長杆と該横長杆の基端側から垂下する支持杆とによって形成される一対の支腕と、前記両支腕の横長杆がＸ字状に交差するように該両支腕を開閉可能に連結する支軸と、両端部を前記両支腕の横長杆の前記支軸よりも先端側の位置に係着した挟着吊上用部材と、前記両支腕の支持杆の下端に相対するように枢着した一対の挟着板と、前記両支腕の横長杆の前記支軸よりも基端側の位置から上方へ突出させた一対の開放レバー部材とを具備し、
前記挟着吊上用部材を引き上げることにより前記挟着板間に板状の建材が挟着されて該建材が吊り上げられる一方、前記両開放レバー部材に対し内側へ押圧することにより前記挟着板間が拡開し前記建材が解放されるようにしたことを特徴とする板状建材吊上用挟着装置。
【発明の詳細な説明】
【技術分野】
【０００１】
本発明は、建築現場等において外壁材等の板状の建材を吊り上げるに際し、該建材を挟着する装置に関するものである。
【背景技術】
【０００２】
従来、建築現場でサイディングボード等の外壁材を施工する場合、作業者が重い外壁材を一枚ずつ両手で抱えて狭い足場の上を施工個所まで運んでいくといったことが行われていた。また、施工個所が高所である場合には、下に居る作業者が上に居る作業者に人力で一枚づつ持ち上げて手渡しするということも行われていた。このため、外壁材の施工作業は、作業者に過酷な負担を掛けると共に、落下事故を起こすなどの危険を伴うものでもあった。そこで、従来からこうした外壁材施工時の作業性および安全性の向上を図ることが必要とされていた。
【０００３】
こうした問題を解決するものとして、下記特許文献１及び下記特許文献２に示されているものがある。すなわち、特許文献１には、Ｘ字状に交差するリンク機構に一対の挟着板が設けられ、該挟着板によって板状物を挟着し、これをワイヤーロープで吊り上げられるようにした板状物の挟持装置が示されている。また、特許文献２には、パネルの吊上げに使用される吊上治具が示されている。
【先行技術文献】
【特許文献】
【０００４】
【特許文献１】特開平７−１９６２８２号公報
【特許文献２】特開平６−２３９５８０号公報
【発明の概要】
【発明が解決しようとする課題】
【０００５】
ところで、特許文献１に示された板状物挟持装置は、リンクの交差部にフックを係合させることにより挟着板を開放状態に保持するストッパー手段、および、そのストッパー手段を解除した状態で該交差部を昇降させ該挟着板を開閉作動する開閉制御手段を設けてなるという点において複雑な構造となっており、装置自体も大型で重いものとならざるを得なかった。そして、これを操作するには、ストッパー手段の掛け外しと、交差部を昇降させることによる挟着板の開閉操作とを必要とするので、操作性が悪く、一人の作業者が狭い足場上で操作することが難しいといった問題がある。また、特許文献２に示された吊上治具は、ネジ棒を締めることによって建材を挟み込むものであるため、着脱操作が面倒であると同時に、そのネジ棒の締め加減によっては建材を傷付けるおそれがある。なお、一般にサイディングボード等の窯業系の外壁材は、表面にレンガ積模様等の意匠的な凹凸があり、強い挟着力により応力集中が起きると、表面を傷付けてしまうおそれもある。
【０００６】
そこで、本発明は、サイディングボード等の外壁材を傷付けることなく確実に挟着することができ、また、外壁材を高所に持ち上げる際、作業者の労力を軽減し、且つ安全性を高めることができる板状建材吊上用挟着装置を提供することを目的としている。
【課題を解決するための手段】
【０００７】
かかる目的を達成するため、本発明に係る板状建材吊上用挟着装置は、横長杆と該横長杆の基端側から垂下する支持杆とによって形成される一対の支腕と、前記両支腕の横長杆がＸ字状に交差するように該両支腕を開閉可能に連結する支軸と、両端部を前記両支腕の横長杆の前記支軸よりも先端側の位置に係着した挟着吊上用部材と、前記両支腕の支持杆の下端に相対するように枢着した一対の挟着板と、両端部を前記両支腕の横長杆の前記支軸よりも基端側の位置に係着した開放吊上用部材とを具備し、前記挟着吊上用部材を引き上げることにより前記挟着板間に板状の建材が挟着されて該建材が吊り上げられる一方、前記開放吊上用部材を引き上げることにより前記挟着板間が拡開し前記建材が解放されるようにしたことを特徴としている。
【０００８】
また、本発明に係る板状建材吊上用挟着装置は、横長杆と該横長杆の基端側から垂下する支持杆とによって形成される一対の支腕と、前記両支腕の横長杆がＸ字状に交差するように該両支腕を開閉可能に連結する支軸と、両端部を前記両支腕の横長杆の前記支軸よりも先端側の位置に係着した挟着吊上用部材と、前記両支腕の支持杆の下端に相対するように枢着した一対の挟着板と、前記両支腕の横長杆の前記支軸よりも基端側の位置から上方へ突出させた一対の開放レバー部材とを具備し、前記挟着吊上用部材を引き上げることにより前記挟着板間に板状の建材が挟着されて該建材が吊り上げられる一方、前記両開放レバー部材に対し内側へ押圧することにより前記挟着板間が拡開し前記建材が解放されるようにしたことをを特徴としている。
【０００９】
さらに、本発明は、上記板状建材吊上用挟着装置において、前記両挟着板の相対する内面に弾性パッドを貼着したことを特徴としている。
【発明の効果】
【００１０】
本発明によれば、外壁材等の板状の建材を傷付けることなく確実に挟着することができ、また、該建材を高所に持ち上げる際の労力を軽減させ、ひいては作業の安全性を向上させることができる。
【図面の簡単な説明】
【００１１】
【図１】本発明に係る板状建材吊上用挟着装置の斜視図。
【図２】本発明に係る板状建材吊上用挟着装置の正面図。
【図３】本発明に係る板状建材吊上用挟着装置の開放作動時の正面図。
【図４】本発明の他の実施形態を示した板状建材吊上用挟着装置の正面図。
【図５】本発明の他の実施形態を示した板状建材吊上用挟着装置の正面図。
【発明を実施するための最良の形態】
【００１２】
次に本発明の最良の実施形態を図１乃至３に従って説明する。本実施形態の板状建材吊上用挟着装置は、横長杆２と支持杆３とによって形成された一対の支腕１，１と、支腕１，１の横長杆２，２がＸ字状に交差するように両支腕１，１を開閉可能に連結する支軸４と、両端部を両支腕１，１の横長杆２，２の先端側の位置に係着した挟着吊上用部材１０と、両端部を両支腕１，１の横長杆２，２の基端側の位置に係着した開放吊上用部材１５と、両支腕１，１の支持杆３の下端に相対するように枢着した一対の挟着板２０，２０とによって概略構成されている。
【００１３】
前記支腕１は、平板状の金属板からなり、横長杆状の横長杆２と該横長杆２の基端側から垂下する支持杆３とによって形成されている。また、支持杆３は、横長杆２の基端側を二股状に離間するように水平方向に折曲した水平杆部３ａ，３ａと、該水平杆部３ａ，３ａの他端側を下方に折曲した縦杆部３ｂ，３ｂとから構成されており、さらに、縦杆部３ｂ，３ｂの下端には内側へ鉤状に曲がる止着部３ｃ，３ｃが形成されている。また、横長杆２の長手方向略中間部には、後述する支軸４を挿通するための軸孔が穿設され、横長杆２の先端側（支持杆３が設けられている基端側と逆側）上部には、後述する挟着吊上用部材１０を係着するための通孔が穿設され、さらに横長杆２の軸孔の支持杆３側の側部には、後述する開放吊上用部材１５を係着するための通孔が穿設されている。また、支持杆３の止着部３ｃ，３ｃの先端側には、後述する挟着板２０を枢着するための貫通孔が穿設されている。なお、この実施形態における支腕１は、２つの平板状の部材からなり、横長杆２の内側部分を互いに溶接することにより一体に固着して形成されている。もっとも、この実施形態のように支腕１を２つの部材によって形成する必要は必ずしもなく、１つの部材により形成しても勿論よい。また、この実施形態における支腕１は、平板状の金属板により形成された例を示したが、必ずしも平板状である必要はなく、また、材質も剛性が保たれるものであれば金属に限られるものではない。
【００１４】
このような支腕１は、２つの支腕１，１を支軸４によって軸支して組み合わされている。すなわち、一対の支腕１，１は、それぞれの支持杆３，３が離反する向きで横長杆２，２を重ね合わせ、横長杆２，２の長手方向中間部にある軸孔にボルトとナットからなる支軸４を貫挿することにより枢着されている。そのため、この一対の支腕１，１の横長杆２，２は、支軸４を支点としてＸ字状に交差するように回動自在になっており、また、横長杆２，２の回動により、支持杆３，３が互いに接近したり離反したりするようになっている。
【００１５】
前記挟着吊上用部材１０は、可撓性を有する紐からなり、その両端部には中央に貫通孔を有するリング部材１１，１１が設けられている。そして、挟着吊上用部材１０のリング部材１１，１１は、止金１２によって横長杆２，２の先端側上部に形成されている通孔に固着されている。さらに、挟着吊上用部材１０には、吊上用のワイヤーロープ１３が繋がれている。なお、この実施形態では、挟着吊上用部材１０の両端部を横長杆２，２の先端側上部に固着した例を示したが、挟着吊上用部材１０の両端部を固着する位置は、必ずしも当該位置に限られず、横長杆２，２のうち、支軸４から先端側（支持杆３が設けられている基端側と逆側）に至る範囲に固着すれば本発明の目的を達成することができる。
【００１６】
前記開放吊上用部材１５も、可撓性を有する紐からなり、その両端部には中央に貫通孔を有するリング部材１６，１６が設けられている。そして、開放吊上用部材１５のリング部材１６，１６は、止金１７によって横長杆２，２の支持杆３側の側部に形成されている通孔に固着されている。なお、この実施形態では、開放吊上用部材１５の両端部を横長杆２，２における支持杆３側の側部に固着した例を示したが、開放吊上用部材１５の両端部を固着する位置は、必ずしも当該位置に限られず、横長杆２，２のうち、支軸４から支持杆３に至る範囲に固着すれば本発明の目的を達成できる。
【００１７】
前記一対の挟着板２０，２０は、一定面積を有する長方形の固い鉄板により形成されている。また、挟着板２０，２０の背面には、複数のサラ頭形ビス２１を貫挿することにより適宜間隔を離して２枚の止板２２，２２を固着し、該止板２２，２２の表面に軸受板２３，２３を溶接することにより突設させている。そして、軸受板２３，２３に前記両支腕１，１の支持杆３，３の下端に形成された止着部３ｃ，３ｃをボルトとナットからなる支軸２４，２４によって枢着している。これにより、支持杆３の下端は、挟着板２０，２０に対して鉛直面内で傾動自在になっている。また、両挟着板２０，２０の相対する内面は、平坦に形成されていて、それぞれの挟着板２０の内面には、適宜間隔を離して一対の弾性パッド２５，２５が貼着されている。さらに、挟着板２０，２０の止板２２，２２に突設された軸受板２３，２３の下端には、保安用紐部材２６，２６が止金２７によって止着されており、この保安用紐部材２６，２６の先端部には、フック２８，２８がそれぞれ設けられている。なお、この実施形態では、それぞれの挟着板の内面に一対の弾性パッドを設けた例を示したが、ここに設ける弾性パッドの枚数などは任意に選択することができる。
【００１８】
次に上記のように構成された板状建材吊上用挟着装置の使用方法について説明する。板状建材吊上用挟着装置によって建材３０を吊上げる場合は、まず、一対の挟着板２０，２０の間に建材３０を配置する。次いで、建築現場の高所に予め設置されている滑車（図示せず）に巻掛されたワイヤーロープ１３をウインチ（図示せず）、あるいは人力によって牽引する。これによって、挟着吊上用部材１０が図１及び図２に矢印で示したように引き上げられ、支腕１，１の両横長杆２の上端部間の間隔が狭まると共に、各支腕１，１の下端に設けられている両挟着板２０，２０の間隔も狭まる。この結果、建材３０は、両挟着板２０，２０によって強固に挟着され、建材３０が起立した姿勢で吊り上げられていくことになる。この時、挟着板２０，２０の内面の弾性パッド２５，２５が建材３０の表面の凹凸に馴染んで密接するので、建材３０は滑ることなく吊り上げられる。なお、建材３０を吊上げるにあたり、保安用紐部材２６，２６のフック２８，２８を吊り上げた建材３０の下縁部に予め係合させておくことで、建材３０が両挟着板２０，２０の間から万一滑ったとしても、建材３０の落下を防ぐことができる。
【００１９】
ちなみに、この板状建材吊上用挟着装置は、両支腕１，１の横長杆２の上端部間に挟着吊上用部材１０が係着されているので、吊り上げた建材３０の重力は挟着吊上用部材１０に掛かる共に挟着吊上用部材１０を緊張させ、両支腕１，１の横長杆２の上端部間の間隔を狭める力が作用する。このため、建材３０が重いほど両挟着板２０，２０は該建材３０をより強い力で挟着し、該建材３０を脱落させることなく吊り上げることができる。しかも、挟着板２０，２０は、一定の面積を有すると共に、建材３０を弾性パッド２５，２５を介して挟着するので、挟着力が一点に集中することがなく、強い力で建材３０を挟着してもその表面に傷を付けるおそれがない。また、弾性パッド２５，２５は、建材３０の表面が凹凸状であっても、その凹凸に沿って密着し大きな摩擦力が働くので、吊り上げている最中に建材３０を滑り落とすようなことが極力回避される。
【００２０】
このように、挟着吊上用部材１０を引き上げることにより、建材３０は常に起立姿勢として吊り上げられるため、水平状態で吊り上げた場合のように広い面積を要することがなく、狭い建築現場においてもスムースに高所に吊り上げたり移動することができ、作業者の労力を軽減すると共に安全を確保することができる。
【００２１】
そして、建材３０を高所等の所要施工個所に降ろす場合には、図３に矢印で示したように、開放吊上用部材１５を手で持ち上げれば、開放吊上用部材１５により両支腕１，１の横長杆２と支持杆３の境目付近が持ち上げられることから、挟着板２０，２０間が開き、建材３０を板状建材吊上用挟着装置から簡単に取り出すことができる。
【００２２】
このように、本発明に係る板状建材吊上用挟着装置は、作業者が開放吊上用部材１５を引き上げるだけで、両挟着板２０，２０の間隔を拡げることができるため、きわめて簡単に建材３０を取り出すことができる。また、新たに別の建材を挟着する際も、建材３０を簡単にセットすることができる。
【００２３】
なお、上記実施形態では、両支腕１，１の横長杆２の上端部間を可撓性紐状の挟着吊上用部材１０により連結した例を示したが、図４に示すように、両支腕１，１の横長杆２の上端部に支軸４０，４０を介して一対のリンク４１，４１を連結し、両リンク４１，４１を繋ぐ支軸４２にワイヤーロープ１３を結止し、該ワイヤーロープ１３を引き上げるようにしてもよい。すなわち、両支腕１，１の横長杆２の上端部間を一対のリンク４１，４１により連結しても吊り上げ時に両支腕１，１の上端部間を狭窄させることから、両挟着板２０，２０によって建材３０を強固に挟着させることができる。また、上記実施形態にて示した開放吊上用部材１５についても、可撓性の紐の他、リンク、あるいは、チェーン等の可撓性部材から構成することが可能である。なお、図４に示したその他の構成は、上記実施形態と同様であるため、図２と同一符号を付すことでその説明を省略する。
【００２４】
図５は、開放吊上用部材１５に替えて一対の開放レバー部材５０，５０を装着した実施形態を示すものである。すなわち、この実施形態では、両支腕１，１の各々の横長杆２，２であって、その軸孔の支持杆３側の側部に上方へ突出させた一対の開放レバー部材５０，５０を設けている。具体的には、それぞれの横長杆２，２の軸孔の支持杆３側の側部外側面に長ナット５２，５２を溶接し、該長ナット５２，５２に棒状のレバー５１，５１を螺合している。そして、この実施形態によれば、板状建材吊上挟着装置から建材３０を取り出す場合、この開放レバー部材５０，５０を内側へ押し込むように押圧してやれば、挟着板２０，２０の間隔が拡げられることになり、きわめて簡易に作業を行うことができる。なお、図５に示したその他の構成は、上記２つの実施形態と同様であるため、同一符号を付すことでその説明を省略する。ちなみに、この実施形態における開放レバー部材は、長ナットと棒状のレーバーによって形成されている例を示したが、勿論これに限られるわけではなく、横長杆から上方へ突出するものであれば、本発明の目的を達成することができる。
【００２５】
なお、前記実施形態においては、横長杆から垂下する支持杆３の例として、横長杆から二股状に離間する支持杆を例として説明したが、必ずしもこのような形状にする必要はなく、例えば、支持杆を横長杆の基端側から下方にそのまま垂下するような形状とすることも可能である。
【符号の説明】
【００２６】
１      支腕
２      横長杆
３      支持杆
４      支軸
１０    挟着吊上用部材
１５    開放吊上用部材
２０    挟着板
２５    弾性パッド
３０    建材
５０    開放レバー部材
【図１】
2015212184.tif 000003
【図２】
2015212184.tif 000004
【図３】
2015212184.tif 000005
【図４】
2015212184.tif 000006
【図５】
2015212184.tif 000007